(57)【要約】【課題】  バネのへたりが生じ難く、且つ製造と組み付けが容易な電源端子を備えた電子時計を提供すること。【解決手段】  指針式の電子時計において、回路ブロック３とボタン電池５の陰極缶５ａｈａムーブメント１０の上側と下側にそれぞれ位置するように配置されている。導電性弾性材料の筒車押さえ７には、電源端子用バネ部７ａと回路接続端子用バネ部７ｂとが形成されている。裏組み部品である筒車押さえ７をムーブメント１０に組み込むと、電源端子用バネ部７ａはボタン電池５の陰極缶５ａに弾性的に当接し、回路接続端子用バネ部７ｂは回路ブロック３の回路接続端子パターン３ａに弾性的に当接し、これによってボタン電池５と回路ブロック３は導通する。【選択図】  図１
2006226923.tif 000002
【特許請求の範囲】
【請求項１】
回路ブロックとボタン電池の一つの電極がムーブメントの上側と下側にそれぞれ位置するように配置された電子時計において、
前記回路ブロックと前記ボタン電池の一つの電極とを電気的に接続する電源端子を、折れ曲げ部が各１箇所の２個のバネ部を有する弾性の導電性部材で形成し、且つこれを裏組み部品としたことを特徴とする備えた電子時計。
【請求項２】
回路ブロックとボタン電池の一つの電極がムーブメントの上側と下側にそれぞれ位置するように配置された指針式の電子時計において、
筒車押さえに前記ボタン電池の一つの電極に弾性的に当接する電源端子用バネ部と前記回路ブロックの回路接続端子パターンに弾性的に当接する回路接続端子用バネ部とを形成し、前記筒車押さえを電源端子に兼用したことを特徴とする指針式の電子時計。
【請求項３】
前記ボタン電池の一つの電極は陰極缶であって、且つ、前記電源端子は電池マイナス端子であることを特徴とする請求項１又は２に記載の電子時計。
【発明の詳細な説明】
【技術分野】
【０００１】
本発明は、ボタン電池を電源とする指針式電子時計の電源端子構造に関する。
【背景技術】
【０００２】
一般的な指針式電子時計において、ロータの回転を減速して秒針、分針及び時針に伝達する輪列は、五番車、四番車、三番車、二番車、日の裏車、及び筒車を含んで構成されている。秒針は四番車の支軸先端に、分針は筒状の二番車の支軸先端に、更に時針は筒車の先端にそれぞれ連結されている。
【０００３】
ロータの回転は五番車を介して四番車に伝達され、秒針が運針する。四番車の支軸周りには二番車が回動自在に連結しており、四番車の回転が三番車を介して二番車に伝達され、分針が運針する。更に、二番車の支軸周りには、中心パイプを介して筒車が回動自在に連結しており、二番車の回転は日の裏車を介して筒車に伝達され、時針が運針する。
【０００４】
駆動部分、制御部分、輪列等は時計の上側に組み込まれるので、これらは表組み部品と称される。一方、カレンダ部分、例えば、日送り部分、日車、日修正部分、曜贈り部分、曜車及び曜修正部分等は、地板を介して反対側に組み込まれる部品であり、これらは裏組み部品と称される。
【０００５】
地板の上側には輪列受、電池プラス端子、電池マイナス端子、回路ブロック、ＩＣ、巻真、コイルブロック、電池等の表組み部品が組み込まれている。一方、地板の下側には日車と日車押え、文字板、筒車押さえ等の裏組み部品が組み込まれている。筒車押えは、地板のガラス側に回転可能に組み込まれた筒車と文字盤との間に挟持された部品であって、ステンレスや銅材などの弾性を有する細長い導電性板部材である。
【０００６】
ボタン電池を電源とする電子時計において、電池マイナス端子は、例えば実開平６−６４１９１号公報（特許文献１）に開示されている如く、一端が回路ブロックの下面に設けた電源用パターンに接続され、且つ他端は地板の凹所で電池の陰極に弾性的に当接する弾性を有する細長い導電性板部材である。電池マイナス端子の前記一端は固定端であり、且つ電池マイナス端子の前記他端は弾性を有する自由端である。
【０００７】
即ち、従来の電池マイナス端子は、表組み部品であって、前記固定端から前記自由端まで延伸した細長い導電性板部材である。より詳細には、従来の電池マイナス端子は、前記固定端から前記凹所の開口端まで水平に延伸し、前記開口端から前記凹所の壁面に沿って垂直に延伸し、更に底面に達したところから前記凹所の中心に沿って水平に延伸した形状のＺ字型の細長い導電性弾性部材である。
【０００８】
従来の電池マイナス端子がＺ字型の弾性を有する細長い導電性板部材で形成されているのは、ムーブメントの断面的なレイアウトの制約から、回路ブロックはムーブメントの上側に位置するのに対し、ボタン電池の陰極缶はムーブメントの下側に位置すること、及び、回路ブロックとボタン電池の陰極缶とを電気的に接続する電池マイナス端子は上側から組み込むからである。
【０００９】
ところが、Ｚ字型の弾性を有する細長い電池マイナス端子は、弾性を有する細長い導電性板部材を二段曲げして製造される部品であるので、バネがへたり易いという問題がある。また、部品製造する上でも、展開形状が大きくなるため、無駄が生じ、コスト低減に反するという問題がある。
【００１０】
【特許文献１】実開平６−６４１９１号公報
【発明の開示】
【発明が解決しようとする課題】
【００１１】
本発明が解決しようとする課題は、回路ブロックとボタン電池の一つの電極がムーブメントの上側と下側にそれぞれ位置するように配置された電子時計において、バネのへたりが生じ難く、且つ製造と組み付けが容易な電源端子を備えた電子時計を提供すること電源端子を備えた電子時計を提供することである。
【課題を解決するための手段】
【００１２】
上記課題を解決するために、回路ブロックとボタン電池の一つの電極がムーブメントの上側と下側にそれぞれ位置するように配置された電子時計において、前記回路ブロックと前記ボタン電池の一つの電極とを電気的に接続する電源端子を、折れ曲げ部が各１箇所の２個のバネ部を有する弾性の導電性部材で形成し、且つこれを裏組み部品とした。
【発明の効果】
【００１３】
電源端子を折れ曲げ部が各１箇所の２個のバネ部を有する弾性の導電性部材で形成し、且つこれを裏組み部品としたので、ムーブメントへの組み込みが従来に比べて非常に容易になった。また、前記電源端子は二段曲げのような面倒な工程を経ないで製造できるので、製造し易くなった。更に、前記電源端子は従来のＺ字型の弾性を有する細長い電池マイナス端子のようなバネのへたりが生じ難くなった。
【００１４】
また、筒車押さえに前記ボタン電池の一つの電極に弾性的に当接する電源端子用バネ部と回路ブロックの回路接続端子に弾性的に当接する回路接続端子用バネ部とを形成し、前記筒車押さえを電源端子に兼用したことを特徴とする本発明に係る指針式の電子時計においては、上述の効果に加えて、部品コストと製造コスト低減も実現できた。
【発明を実施するための最良の形態】
【００１５】
本発明は、回路ブロックとボタン電池の一つの電極がムーブメントの上側と下側にそれぞれ位置するように配置された指針式の電子時計に適用されたもので、筒車押さえに前記ボタン電池の陰極缶に弾性的に当接する電源端子用バネ部と前記回路ブロックの回路接続端子に弾性的に当接する回路接続端子用バネ部とを形成し、前記筒車押さえを電源端子に兼用したことを特徴とするものである。
【実施例１】
【００１６】
本発明の一実施例の指針式アナログ電子時計は、図１の平面図、及び図２と図３の部分断面図に示す如く、回路ブロック３とボタン電池５の陰極缶５ａがムーブメント１０の上側と下側にそれぞれ位置するように配置された指針式の電子時計であって、筒車押さえ７にボタン電池５の陰極缶５ａに弾性的に当接する電源端子用バネ部７ａと回路ブロック３の回路接続端子パターン３ａに弾性的に当接する回路接続端子用バネ部７ｂとを形成し、筒車押さえ７を電源端子に兼用したことを特徴とするものある。
【００１７】
即ち、本発明の一実施例の指針式アナログ電子時計は、地板１と輪列受２によって輪列が支持されたムーブメント１０を備える。地板１の回路ブロック取り付け面１ａには、回路ブロック３がその電源用パターン３ａを下向きにして取り付けられている。地板１の電池収納用凹所には、ボタン電池５が陰極缶５ａを下にして収納されている。回路ブロック取り付け面１ａは輪列受２側に突出した平面であり、従って回路ブロック取り付け面１ａは電池収納用凹所の底面１ｂよりもボタン電池３の厚みの半分程の高い位置にある。
【００１８】
裏組み部品である筒車押え７は、ムーブメント１０の下側を覆うように配置されている。筒車押え７は地板１のガラス側に回転可能に組み込まれた筒車と文字盤との間に挟持された部品であって、ステンレスや銅材などの細長い導電性弾性部材である。
【００１９】
要するに、本発明が適用される一実施例の電子時計は、回路ブロック３とボタン電池５の陰極缶５ａがムーブメント１０の上側と下側にそれぞれ位置するように配置された指針式のアナログ電子時計である。
【００２０】
ボタン電池５の陽極５ｂには電源プラス端子６が弾性的に当接し、ボタン電池５の陰極缶５ａには電池マイナス端子の一部として機能する電源端子用バネ部７ａが弾性的に当接している。また、地板１の回路ブロック取り付け面１ａに取り付けられている回路ブロック３の電源用パターン３ａには、電池マイナス端子の一部として機能する回路接続端子用バネ部７ｂの先端が弾性的に当接している。
【００２１】
電池マイナス端子の一部としてそれぞれ機能する電源端子用バネ部７ａと回路接続端子用バネ部７ｂは、導電性弾性材料の筒車押さえ７に形成されている。
【００２２】
電源端子用バネ部７ａは、筒車押さえ７の所定の一部に、即ち電池収納用凹所の底面１ｂに形成された開口１ｂ−１に対応する部分に、筒車押さえ７と一体の細長い舌片として形成されている。この細長い舌片の電源端子用バネ部７ａには、角度が略３０度の一つの折れ曲げ部７ａ−１が形成され、これによってバネ性を持たせている。この細長い舌片の電源端子用バネ部７ａには、角度が略５度の折れ曲げ部７ａ−２も形成されているが、これは補助的なものである。
【００２３】
回路接続端子用バネ部７ｂは、筒車押さえ７の他の所定の一部に、即ち筒車押さえ７の一部に回路ブロック取り付け面１ａに取り付けられている回路ブロック３の電源用パターン３ａに対応する部分に、筒車押さえ７と一体の細長い舌片として形成されている。この細長い舌片の細長い舌片の回路接続端子用バネ部７ｂには、角度が略９０度程度の一つの折れ曲げ部７ａ−１が形成され、これによってバネ性を持たせている。更に、回路接続端子用バネ部７ｂの幅は電源端子用バネ部７ａよりも狭くしてあり、これによって、柔らかいバネ性を実現している。
【００２４】
上述の如き構成であるので、裏組み部品である筒車押さえ７をムーブメント１０に組み込むと、筒車押さえ７の電源端子用バネ部７ａはボタン電池５の陰極缶５ａに弾性的に当接し、回路接続端子用バネ部７ｂは回路ブロック３の回路接続端子パターン３ａに弾性的に当接し、これによってボタン電池５と回路ブロック３は筒車押さえ７を介して導通する。換言すれば、裏組み部品である筒車押さえ７は、電源マイナス端子として機能するのである。
【００２５】
裏組み部品である筒車押さえ７と兼用した電源マイナス端子は、折れ曲げ部が各１箇所の２個のバネ部を有するものであるから、従来のＺ字型の弾性を有する細長い電池マイナス端子のバネがへたり易いという問題を解消するものである。また、弾性を有する細長い導電性板部材を二段曲げして製造される部品である従来のＺ字型の弾性を有する細長い電池マイナス端子に比較すると、製造はし易く、しかも簡単に裏組みできるものである。
【００２６】
以上、裏組み部品である筒車押さえ７と兼用した電源マイナス端子について詳細に説明したが、本発明を構成する裏組み部品の電源マイナス端子は、筒車押さえ７とは別部品として形成することも可能である。要するに、折れ曲げ部が各１箇所の２個のバネ部を有する弾性の導電性部材で形成したものであって、これを裏組みできるような部品にすれば、本発明を構成する裏組み部品の電源マイナス端子を実現できるのである。
【図面の簡単な説明】
【００２７】
【図１】本発明の実施例１の指針式の電子時計の下側から見た平面図である。
【図２】本発明の実施例１の電源端子用バネ部を含む部分の電子時計の断面図である。
【図３】本発明の実施例１の回路接続端子用バネ部を含む部分の電子時計の断面図である。
【符号の説明】
【００２８】
１  地板
１ｂ  電池収納用凹所の底面
２  輪列受
３  回路ブロック
４  ＩＣ
５  ボタン電池
５ａ  陰極缶
５ｂ  陽極
６  プラス端子
７  筒車押え
７ａ  電源端子用バネ部陰極
７ｂ  回路接続端子用バネ部
８  巻真
１０  ムーブメント
【図１】
2006226923.tif 000003
【図２】
2006226923.tif 000004
【図３】
2006226923.tif 000005